(57)【要約】【課題】蓋の高さ調整を容易にすること、道路の勾配と蓋の勾配を合致させる設置作業を容易にすること、設置された蓋が長年の使用により沈下や傾斜や横滑りすることを防止することを目的とした上水道、下水道又はガスの蓋構造を提供する。【解決手段】第一円筒管５０を覆い被せるように設置される第二円筒６０を備え、第一円筒管５０の外周面上部に第二円筒６０の内周面に嵌着する固定ゴムカバー５１を取り付け、その嵌着箇所の下方の第一円筒管５０外周面と第二円筒６０内周面との間に隙間５２を設け、第二円筒６０の上部が底版３を貫通すると共に第二円筒６０の上部先端部が蓋受枠４の縁部底面に接合する構成を採用し、第一円筒管５０と第二円筒６０が互いに重なり合う範囲内で第二円筒６０を上下に移動させることにより高さ調整を可能にし且つ隙間５２を利用して勾配調整を可能にした。【選択図】図１８
2010059774.tif 000002
【特許請求の範囲】
【請求項１】
上水道の仕切弁ＢＯＸ、下水道の小型マンホール又はガスの点検ＢＯＸで地中に埋設される導管の点検や操作を行なうため垂直に設置される合成樹脂製の円筒管たる第一円筒管と、その第一円筒管上部を保護するために取付けられる蓋を有する蓋受枠と、その蓋受枠を支持する底版からなる上水道、下水道又はガスの蓋構造において、前記第一円筒管を覆い被せるように設置される第二円筒を備え、前記第一円筒管の外周面上部に前記第二円筒の内周面に嵌着するゴムカバー又はゴムリングを取り付け、その嵌着箇所の下方の前記第一円筒管外周面と前記第二円筒内周面との間に隙間を設け、前記第二円筒の上部が前記底版を貫通すると共に当該第二円筒の上部先端部が前記蓋受枠の縁部底面に接合する構成を採用し、前記第一円筒管と前記第二円筒が互いに重なり合う範囲内で当該第二円筒を上下に移動させることにより高さ調整を可能にし、且つ前記隙間を利用して勾配調整を可能にしたことを特徴とする上水道、下水道又はガスの蓋構造。
【請求項２】
上水道の仕切弁ＢＯＸ、下水道の小型マンホール又はガスの点検ＢＯＸで地中に埋設される導管の点検や操作を行なうため垂直に設置される合成樹脂製の円筒管たる第一円筒管と、その第一円筒管上部を保護するために取付けられる蓋を有する蓋受枠と、その蓋受枠を支持する底版からなる上水道、下水道又はガスの蓋構造において、前記第一円筒管を覆い被せるように設置される第二円筒を備え、前記第一円筒管の外周面上部に前記第二円筒の内周面に嵌着するゴムカバー又はゴムリングを取り付け、その嵌着箇所の下方の前記第一円筒管外周面と前記第二円筒内周面との間に隙間を設け、前記第二円筒の上部が前記底版を貫通すると共に当該第二円筒の上部先端部が前記蓋受枠の内周面に接合する構成を採用し、前記第一円筒管と前記第二円筒が互いに重なり合う範囲内で当該第二円筒を上下に移動させることにより高さ調整を可能にし、且つ前記隙間を利用して勾配調整を可能にしたことを特徴とする上水道、下水道又はガスの蓋構造。
【請求項３】
請求項１又は請求項２に記載の前記ゴムカバーの外周縁に複数の連続する凹凸部を周設し、前記第二円筒の内周面に前記凹凸部に対応する複数の突起を形成し、前記突起の形状は前記ゴムカバーの凹部の形状よりも若干小さくしたことを特徴とする上水道、下水道又はガスの蓋構造。
【請求項４】
前記第二円筒の下部先端の外側にドーナツリング状板を形成し、前記蓋に作用する荷重を前記底版と前記ドーナツリング状板の二ヶ所で受け持つことを特徴とする請求項１乃至請求項３のいずれか１項に記載の上水道、下水道又はガスの蓋構造。
【請求項５】
前記底版底面に沈下及び滑動を軽減させるための凹凸部を形成したことを特徴とする請求項１乃至請求項４いずれか１項に記載の上水道、下水道又はガスの蓋構造。
【発明の詳細な説明】
【技術分野】
【０００１】
本発明は、上水道の仕切弁ＢＯＸ、下水道の小型マンホール又はガスの点検ＢＯＸで地中に埋設される導管の点検や操作を行なうため垂直に設置される合成樹脂製の円筒管上部を保護する蓋構造に関する。
【背景技術】
【０００２】
従来の下水道小型マンホール及び水道仕切弁保護カバーに使用される蓋構造は、一般的には図１７に示すように、合成樹脂製などの円筒１の廻りを必要な高さまで土砂で埋戻し、その地盤面２に底版３を据付け、その底版３上に蓋受枠４を覆い被せる様に設置し蓋５を道路面６に合致させるが、将来道路面の嵩上げ嵩下げ時に必要となる蓋の高さ調整は、上げ下げに必要な厚さの副資材（ドーナツ形状の厚みのある板）を蓋受枠庇部７とそれに密着する底版凹部８の間に挿入又は撤去取替を行なうことで調整している。例えば、嵩上げを行なう場合、嵩上げに必要な厚さのリング板を用意する必要がある。又、一般的には１ｃｍから３ｃｍ程度はリング板で高さ調整が可能であるがリング板厚以上の高さを調整する場合、新たに同材質等の円筒部材を用意し円筒上部９に継ぎ足す必要が生じるなどの不便がある。
【０００３】
また、蓋構造をネジ式にする事により微調整を行なう形式の構造も発明されているが、長年土中内に埋設されていることにより、ネジ部が雨水、地下水等の浸入により生じる錆や、微粒子の土砂くい込み等により調整に手間取るなどの問題が生じている。又道路面６に作用した車輌の輪荷重は、道路面６から近い所に設置された底版３で受け持つ形態であることから、蓋の沈下、傾斜、横滑りが生じやすい構造となっている。
【０００４】
特許文献１（実開昭５６−０２１０５９号）には、従来の止水栓ボックスにおいて地中に埋設した止水栓を操作する場合は止水栓ボックスの蓋を開けて開栓器で操作するが止水栓が深い位置にあるため開栓器の下部のキャップ受けと、止水栓の操作部とを嵌合させる作業が困難であったので、この課題を解決するために止水栓ボックス本体中に予め止水栓の操作部に嵌着固定された操作杆を挿入しておきこの操作杆の途中を案内部材で保持させ上端に開栓器が着脱自在に取付けられる操作部を形成し、この操作部を本体内の上方に位置させることにより開栓器の連結操作を容易にした発明が開示されている。
【０００５】
特許文献２（実開昭６０−１５１９７０号）には、従来の埋設筐の欠点を除去し筐体下部への路面荷重等の外圧の伝達を防止できるとともに筐体の嵩上げを容易かつ迅速に行なうことを目的とし、路面から仕切弁等の地下設備へ通じる空間を形成する中空円筒状の筐体を部分的に嵌合する同心の筐体上部と筐体下部とに分割し、一方の嵌合面に突起を設け、他方の嵌合面に該突起が係合する縦溝および該縦溝に通じる複数段の横溝を形成し、埋設状態では前記筐体上部を筐体下部に対し自由な状態で支持する発明が開示されている。
【０００６】
特許文献３（実開昭５８−０４５７７３号）には、特に寒冷地における凍結による浮上を防止することを目的とし、外管とそれに螺合挿設した内管と上蓋とを含む制水弁筐であって外管は下方周辺に水平に延伸する鍔を環装している発明が開示されている。
【先行技術文献】
【特許文献】
【０００７】
【特許文献１】実願昭５４−１０３２９７号（実開昭５６−０２１０５９号）のマイクロフィルム
【特許文献２】実願昭５９−３９５０９号（実開昭６０−１５１９７０号）のマイクロフィルム
【特許文献３】実願昭５６−１４０５９８号（実開昭５８−０４５７７３号）のマイクロフィルム
【発明の概要】
【発明が解決しようとする課題】
【０００８】
しかし、従来の蓋構造では、道路の勾配と蓋の勾配を合致させるためには、垂直に設置される円筒管に対して勾配の付いた調整リング板を用意する必要がある。例えば、特許文献２（実開昭６０−１５１９７０号）に記載の発明では、上部座台に支持される筐体上部と下部座台に支持される筐体下部は一体的に設置される構造を採用し、筐体上部と筐体下部が隙間なく嵌合されていることから、上部座台だけに必要な傾きを設けて設置することができないため、勾配の付いた調整リング板を使用しなければならず、設置作業に手間がかかるという問題がある。
また、特許文献１（実開昭５６−０２１０５９号）及び特許文献３（実開昭５８−０４５７７３号）に記載の発明についても上記と同様の問題があるばかりでなく、設置された蓋が長年の使用により沈下や傾斜や横滑りする問題を解決するものではない。
さらに、従来の蓋構造では、既設水道本管の水を止めることなく新しく管を接続する不断水工事等の場合、水道本管の近くに仕切弁が設置されるため底版の隅部が水道本管に接触するという問題がある。しかし、不断水工事等で底版が既設水道本管等に接触するのを防止するため、底版の位置を上下に自由に決定することができる蓋構造は提案されていない。
そこで、本発明は、蓋の高さ調整を容易にすること、道路の勾配と蓋の勾配を合致させる設置作業を容易にすること、設置された蓋が長年の使用により沈下や傾斜や横滑りすることを防止することを目的とした上水道、下水道又はガスの蓋構造を提供する。
【課題を解決するための手段】
【０００９】
上記の課題を解決するために、請求項１に記載の発明は、上水道の仕切弁ＢＯＸ、下水道の小型マンホール又はガスの点検ＢＯＸで地中に埋設される導管の点検や操作を行なうため垂直に設置される合成樹脂製の円筒管たる第一円筒管と、その第一円筒管上部を保護するために取付けられる蓋を有する蓋受枠と、その蓋受枠を支持する底版からなる上水道、下水道又はガスの蓋構造において、前記第一円筒管を覆い被せるように設置される第二円筒を備え、前記第一円筒管の外周面上部に前記第二円筒の内周面に嵌着するゴムカバー又はゴムリングを取り付け、その嵌着箇所の下方の前記第一円筒管外周面と前記第二円筒内周面との間に隙間を設け、前記第二円筒の上部が前記底版を貫通すると共に当該第二円筒の上部先端部が前記蓋受枠の縁部底面に接合する構成を採用し、前記第一円筒管と前記第二円筒が互いに重なり合う範囲内で当該第二円筒を上下に移動させることにより高さ調整を可能にし、且つ前記隙間を利用して勾配調整を可能にしたことを特徴とする。
【００１０】
また、請求項２に記載の発明は、上水道の仕切弁ＢＯＸ、下水道の小型マンホール又はガスの点検ＢＯＸで地中に埋設される導管の点検や操作を行なうため垂直に設置される合成樹脂製の円筒管たる第一円筒管と、その第一円筒管上部を保護するために取付けられる蓋を有する蓋受枠と、その蓋受枠を支持する底版からなる上水道、下水道又はガスの蓋構造において、前記第一円筒管を覆い被せるように設置される第二円筒を備え、前記第一円筒管の外周面上部に前記第二円筒の内周面に嵌着するゴムカバー又はゴムリングを取り付け、その嵌着箇所の下方の前記第一円筒管外周面と前記第二円筒内周面との間に隙間を設け、前記第二円筒の上部が前記底版を貫通すると共に当該第二円筒の上部先端部が前記蓋受枠の内周面に接合する構成を採用し、前記第一円筒管と前記第二円筒が互いに重なり合う範囲内で当該第二円筒を上下に移動させることにより高さ調整を可能にし、且つ前記隙間を利用して勾配調整を可能にしたことを特徴とする。
【００１１】
また、請求項３に記載の発明は、請求項１又は請求項２に記載の前記ゴムカバーの外周縁に複数の連続する凹凸部を周設し、前記第二円筒の内周面に前記凹凸部に対応する複数の突起を形成し、前記突起の形状は前記ゴムカバーの凹部の形状よりも若干小さくしたことを特徴とする。
【００１２】
また、請求項４に記載の発明は、請求項１乃至請求項３に記載の前記第二円筒の下部先端の外側にドーナツリング状板を形成し、前記蓋に作用する荷重を前記底版と前記ドーナツリング状板の二ヶ所で受け持つことを特徴とする。
【００１３】
また、請求項５に記載の発明は、請求項１乃至請求項４に記載の前記底版底面に沈下及び滑動を軽減させるための凹凸部を形成したことを特徴とする。
【発明の効果】
【００１４】
以上のように、本発明の上水道、下水道又はガスの蓋構造によれば、蓋の高さ調整が副資材を使用しないで可能となり施工性が向上し経済効果も得られ、蓋及び第二円筒が輪荷重等により沈下することがあっても第一円筒管には荷重は作用せず水道管、下水道管又はガス管を破損させることはない。また、第一円筒管の外周面上部には、第二円筒の内周面に嵌着しその間に隙間を形成するゴムカバー又はゴムリングを取り付けるようにしたので、第二円筒を上下に自由に移動させてゴムカバー又はゴムリングが第二円筒の内周面に嵌着するため、蓋の高さを容易に調整（微調整も可能）することができ、道路の勾配と鉄蓋の勾配を合致させる場合には、第一円筒管と第二円筒との間の隙間を利用して底版自体を傾けて容易に設置することができる。また、第二円筒が底版を貫通する状態で設置するようにしたので、底版と第二円筒が互いに重なり合う範囲内で底版の位置を上下に自由に決定することができ、設置された蓋が長年の使用により横滑りすることを防止することができる。
【００１５】
また、第一円筒管の外周面上部に取り付けたゴムカバーの外周縁に凹凸部を周設し、第二円筒の内周面にゴムカバーの凹部の形状よりも若干小さい突起を形成することにより、第二円筒の引き抜きを防止することができる。また、道路から流入する水は、ゴムカバーの凹部から土砂中に流出させることができる。
【００１６】
また、第二円筒の下部先端の外側にドーナツリング状板を形成することにより、蓋に作用する荷重を底版とドーナツリング状板の二ヶ所で受け持つことになり、沈下に対する安定性を増すことが可能となる。
【００１７】
また、底版底面に沈下及び滑動を軽減させるための凹凸部を形成することにより、さらに安定性を向上させる効果が得られる。
【図面の簡単な説明】
【００１８】
【図１】本発明の実施例１１の全体の断面説明図である。
【図２】図１の蓋及び蓋受枠の平面図である。
【図３】図１の底版透視図である。
【図４】図１の蓋受枠の拡大側面図である。
【図５】図１の固定ゴムカバーの透視説明図である。
【図６】本発明の実施例１２の全体の断面説明図である。
【図７】図６の底版の平面図である。
【図８】図６の底版の断面図である。
【図９】図６の蓋受枠の拡大側面図である。
【図１０】本発明の実施例１３の全体の断面説明図である。
【図１１】本発明の実施例１４の全体の断面図である。
【図１２】図１１の底版透視図である。
【図１３】本発明の実施例１５の全体の断面説明図である。
【図１４】図１３の第２円筒上方先端と蓋受枠内側とが接する部分の拡大断面図である。
【図１５】図１４の接合部に段差を設けた時の立体図である。
【図１６】図１５で示した第二円筒上部と接合する蓋受枠の立体図である。
【図１７】従来例の説明図である。
【図２０】本発明の実施例１の全体の断面説明図である。
【図２１】図２０の第一円筒管と第二円筒の説明図である。
【図２２】本発明の実施例２の全体の断面説明図である。
【図２３】図２２の第一円筒管と第二円筒の説明図である。
【図２４】既設ＢＯＸの全体の断面説明図である。
【発明を実施するための形態】
【００１９】
本発明の上水道、下水道又はガスの蓋構造は、上水や下水やガスの導管の点検や操作を行なうために垂直に設置される合成樹脂製等の円筒管（第一円筒管）外径より少し大きな内径を有する第二円筒を形成し、第一円筒管上部と第二円筒とが互いに重なり合うように設置される構造にし、さらに、蓋に作用する荷重を受け持つ底版の中心部に、上記第二円筒が貫通することの出来る第二円筒外径より少し大きな径のくり抜き部を設け、第二円筒が底版を貫通し土中内に配置される構造形態にすることを基本にする。なお、これらの全ての部材（蓋、蓋受枠、底版、第一円筒管、第二円筒）が、完全な固着結合とすることは必ずしも必要とせず、結合箇所に偏荷重が集中しないように自由度を有する連結構造にするのが好ましい。
以下、本発明の実施の一形態について図面を参酌しながら説明する。
【００２０】
（実施例１）
図２０は本発明の実施例１の全体の断面説明図、図２１は図２０の第一円筒管と第二円筒の説明図である。
本発明の実施例１について、図２０及び図２１を参照して説明する。本実施例は、上水道の仕切弁ＢＯＸ又は下水道の小型マンホールで地中に埋設される導管の点検や操作を行なうため垂直に設置される合成樹脂製の円筒管たる第一円筒管５０と、その第一円筒管５０の上部を保護するために取付けられる蓋５を有する蓋受枠４と、その蓋受枠４を支持する底版３からなる上水道又は下水道の蓋構造である。
第二円筒６０は第一円筒管５０の外径よりも大きな内径を有するように形成され、第一円筒管５０の上部を覆い被せるように設置される。蓋受枠４に作用する荷重を受け持つ底版３の中心部には、第二円筒６０の上部が貫通するくり抜き部が設けられ、図２０に示すように第二円筒６０の上部先端部６１が蓋受枠４の縁部底面に接合する構成になっている。このため、蓋５及び第二円筒６０が輪荷重等により沈下することがあっても第一円筒管５０には荷重は作用せず水道管・下水道管を破損させることはない。また、第二円筒６０が底版３を貫通する状態で設置するようにしたので、底版３と第二円筒６０が互いに重なり合う範囲内で底版３の位置を上下に自由に決定することができ、設置された蓋５が長年の使用により横滑りすることを防止することができる。  第一円筒管５０の外周面上部には、第二円筒６０の内周面に嵌着する固定ゴムカバー５１が装着自在に取り付けられ（図２１参照）、固定ゴムカバー５１により第一円筒管５０の外周面と第二円筒６０の内周面との間に隙間５２が設けられている。このため、第一円筒管５０と第二円筒６０が互いに重なり合う範囲内で第二円筒６０を上下に自由に移動させて固定ゴムカバー５１が第二円筒６０の内周面に嵌着するので蓋５の高さを容易に調整することができ、道路面６の勾配と蓋５の勾配を合致させる場合には、第一円筒管５０と第二円筒６０の隙間５２を利用して底版３を傾けて容易に設置することができる。なお、固定ゴムカバー５１の代わりにＯリング等のゴムリングを取り付けて隙間を設けてもよい。さらに、第一円筒管５０と第二円筒６０の隙間が大きい場合、埋戻し作業中に第二円筒６０が傾いた状態となり垂直に修正する必要が生じるため、固定ゴムカバー５１の下方の位置で第一円筒管５０と第二円筒６０が互いに重なり合う範囲内に第二円筒６０の内径よりも若干小さな外径のＯリング等のゴムリングを追加して取り付けるのが望ましい。このゴムリングと第二円筒６０の内周面との間に若干の隙間を設けておくことにより、第二円筒６０の内面に生ずる結露を土砂中に排出することができる。また、第一円筒管５０の上部には土砂等の流入を防止するキャップ５４を取付けるのが望ましい。
図２１に示すように、固定ゴムカバー５１の外周縁には複数の連続する凹凸部５３が周設され、第二円筒６０の内周面には凹凸部５３に対応する複数の突起６２が形成されている。突起６２の形状は固定ゴムカバー５１の凹部の形状よりも若干小さく形成され、設置時には第二円筒６０を少し回転させて前記凹部と突起６２の位置をずらしておくことにより引き抜き防止となり、前記凹部と突起６２の位置を合すことにより引き抜き可能となる。また、固定ゴムカバー５１に前記凹部を形成することにより、道路から流入する水を前記凹部から土砂中に流出させることができる。
また、第二円筒６０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【００２１】
（実施例２）
図２２は本発明の実施例２の全体の断面説明図、図２３は図２２の第一円筒管と第二円筒の説明図である。
本実施例は、図２４に示す既設ＢＯＸを改修して破損した箇所を取り替える場合の使用例を示すものであり、上述した実施例１と同様に第二円筒８０は第一円筒管７０の外径よりも大きな内径を有するように形成され、第一円筒管７０の上部を覆い被せるように設置される。蓋受枠４に作用する荷重を受け持つ底版３の中心部には、第二円筒８０の上部が貫通するくり抜き部が設けられ、図２２に示すように第二円筒８０の上部先端部８１が蓋受枠４の縁部底面に接合する構成になっている。このため、蓋５及び第二円筒８０が輪荷重等により沈下することがあっても第一円筒管７０には荷重は作用せず水道管・下水道管を破損させることはない。また、第二円筒８０が底版３を貫通する状態で設置するようにしたので、底版３と第二円筒８０が互いに重なり合う範囲内で底版３の位置を上下に自由に決定することができ、設置された蓋５が長年の使用により横滑りすることを防止することができる。
第一円筒管７０の下部は、図２２に示すように既設ＢＯＸ９０（残置部分）の内径よりも少し大きな外径の球状加工部７５が形成され、既設ＢＯＸ９０（残置部分）の上に据え付けられる。このため、破損した部分のみを撤去し、その撤去部を上記構造に変更することにより簡単に復旧工事が完了する。また、既設ＢＯＸ９０（残置部分）と球状加工部７５との隙間から泥水・土砂等が浸入するのを防止するためにゴム板７６を取り付け、埋戻し時の土砂により既設ＢＯＸ９０（残置部分）の上部とゴム板７６が自然と折り曲がり密着するようにするのが好ましい。なお、ステンレス製バンド（図示省略）により、ゴム板７６を押え付けてもよい。
また、実施例１と同様に第一円筒管７０の外周面上部には、第二円筒８０の内周面に嵌着する固定ゴムカバー７１が装着自在に取り付けられ（図２３参照）、固定ゴムカバー７１により第一円筒７０の外周面と第二円筒８０の内周面との間に隙間７２が設けられている。このため、第一円筒管７０と第二円筒８０が互いに重なり合う範囲内で第二円筒８０を上下に自由に移動させて固定ゴムカバー７１が第二円筒８０の内周面に嵌着するので蓋５の高さを容易に調整することができ、道路面６の勾配と蓋５の勾配を合致させる場合には、第一円筒管７０と第二円筒８０の隙間７２を利用して底版３を傾けて容易に設置することができる。なお、固定ゴムカバー７１の代わりにＯリング等のゴムリングを取り付けて隙間を設けてもよい。さらに、第一円筒管７０と第二円筒８０の隙間が大きい場合、埋戻し作業中に第二円筒８０が傾いた状態となり垂直に修正する必要が生じるため、固定ゴムカバー７１の下方の位置で第一円筒管７０と第二円筒８０が互いに重なり合う範囲内に第二円筒８０の内径よりも若干小さな外径のＯリング等のゴムリングを追加して取り付けるのが望ましい。このゴムリングと第二円筒８０の内周面との間に若干の隙間を設けておくことにより、第二円筒８０の内面に生ずる結露を土砂中に排出することができる。また、第一円筒管７０の上部には土砂等の流入を防止するキャップ７４を取付けるのが望ましい。
図２３に示すように、固定ゴムカバー７１の外周縁には複数の連続する凹凸部７３が周設され、第二円筒８０の内周面には凹凸部７３に対応する複数の突起８２が形成されている。突起８２の形状は固定ゴムカバー７１の凹部の形状よりも若干小さく形成され、設置時には第二円筒８０を少し回転させて前記凹部と突起８２の位置をずらしておくことにより引き抜き防止となり、前記凹部と突起８２の位置を合すことにより引き抜き可能となる。また、固定ゴムカバー７１に前記凹部を形成することにより、道路から流入する水を前記凹部から土砂中に流出させることができる。
また、第二円筒８０の下部先端に切欠部８３を形成することにより（図２３参照）、埋戻し土砂がくい込み易くなり沈下を少なくさせる。なお、切欠部８３の代わりに先端断面を波形などに加工してもよい。また、第二円筒８０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【００２２】
（実施例３）
本実施例は、上述した実施例１と同様に上水道の仕切弁ＢＯＸ又は下水道の小型マンホールで地中に埋設される導管の点検や操作を行なうため垂直に設置される合成樹脂製の円筒管たる第一円筒管５０と、その第一円筒管５０の上部を保護するために取付けられる蓋５を有する蓋受枠４と、その蓋受枠４を支持する底版３からなる上水道又は下水道の蓋構造である点で共通するが、第二円筒６０の上部先端部６１が蓋受枠４の内周面に接合する（図示省略）ように構成されている点で実施例１と相違する。
すなわち、本実施例は、実施例１と同様に第二円筒６０は第一円筒管５０の外径よりも大きな内径を有するように形成され、第一円筒管５０の上部を覆い被せるように設置される。蓋受枠４に作用する荷重を受け持つ底版３の中心部には、第二円筒６０の上部が貫通するくり抜き部が設けられ、第二円筒６０の上部先端部６１が蓋受枠４の内周面に接合する（実施例１５、図１３・図１４参照）構成になっている。このため、実施例１と同様に蓋５及び第二円筒６０が輪荷重等により沈下することがあっても第一円筒管５０には荷重は作用せず水道管・下水道管を破損させることはない。また、第二円筒６０が底版３を貫通する状態で設置するようにしたので、底版３と第二円筒６０が互いに重なり合う範囲内で底版３の位置を上下に自由に決定することができ、設置された蓋５が長年の使用により横滑りすることを防止することができる。
また、実施例１と同様に第一円筒管５０の外周面上部には、第二円筒６０の内周面に嵌着する固定ゴムカバー５１が装着自在に取り付けられ（図２１参照）、固定ゴムカバー５１により第一円筒５０の外周面と第二円筒６０の内周面との間に隙間５２が設けられている。このため、実施例１と同様に第一円筒管５０と第二円筒６０が互いに重なり合う範囲内で第二円筒６０を上下に自由に移動させて固定ゴムカバー５１が第二円筒６０の内周面に嵌着するので蓋５の高さを容易に調整することができ、道路面６の勾配と蓋５の勾配を合致させる場合には、第一円筒管５０と第二円筒６０の隙間５２を利用して底版３を傾けて容易に設置することができる。なお、固定ゴムカバー５１の代わりにＯリング等のゴムリングを取り付けて隙間を設けてもよい。さらに、第一円筒管５０と第二円筒６０の隙間が大きい場合、埋戻し作業中に第二円筒６０が傾いた状態となり垂直に修正する必要が生じるため、固定ゴムカバー５１の下方の位置で第一円筒管５０と第二円筒６０が互いに重なり合う範囲内に第二円筒６０の内径よりも若干小さな外径のＯリング等のゴムリングを追加して取り付けるのが望ましい。このゴムリングと第二円筒６０の内周面との間に若干の隙間を設けておくことにより、第二円筒６０の内面に生ずる結露を土砂中に排出することができる。また、第一円筒管５０の上部には土砂等の流入を防止するキャップ５４を取付けるのが望ましい。
また、実施例１と同様に固定ゴムカバー５１の外周縁には複数の連続する凹凸部５３が周設され、第二円筒６０の内周面には凹凸部５３に対応する複数の突起６２が形成されている。突起６２の形状は固定ゴムカバー５１の凹部の形状よりも若干小さく形成され、設置時には第二円筒６０を少し回転させて前記凹部と突起６２の位置をずらしておくことにより引き抜き防止となり、前記凹部と突起６２の位置を合すことにより引き抜き可能となる。また、固定ゴムカバー５１に前記凹部を形成することにより、道路から流入する水を前記凹部から土砂中に流出させることができる。
また、実施例１と同様に第二円筒６０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【００２３】
（実施例１１）
本発明の実施例１１は、図１乃至図５を参照して説明する。本実施例は、水道仕切弁保護カバー（第一円筒管）１１との組合せを考慮した蓋構造であるが、図１の様に蓋受枠庇の内側縁部７ａより上下方向に、合成樹脂製などの円筒（第一円筒管）１の外径よりも大きな内径を有するストレートの円筒(第二円筒)１２を一体的に延長形成する。図１の様に設置された合成樹脂製などの円筒１とそれを覆い被せるように設置される蓋受枠４形態において、互いに重なり合う範囲内で、蓋受枠４及び底版３を上下に移動させることにより高さ調整を可能にしたものである。その重なり合う部分の長さは、施工性、経済性を考えれば２０ｃｍ程度あれば良い。図４のように蓋受枠庇の内側縁部７ａより下方に一体的に形成した円筒１２に櫛の歯状に欠損部１３を設けるよう形成する。これは、蓋受枠４内に浸入する雨水や泥水又蓋裏面等に発生する結露を合成樹脂製などの円筒１外の土中に排水するための排水穴であり、この欠損部の形状は幅を狭くし縦方向に長くした櫛の歯状が良い。これは、水道仕切弁保護カバー１１のように合成樹脂製などの円筒１上部に設置された固定ゴムカバー１４の凸部１５（図５）が、欠損部１３に嵌り込まなくする必要があるからである。又、欠損部の縦方向の長さは、合成樹脂製などの円筒内部に雨水や泥水が浸入しない様に、前記円筒と延長形成した蓋受枠円筒との重なりが最も短い時、即ち蓋受枠を移動可能な最高位に持ち上げた時の合成樹脂製円筒と重なり合う部分とするのが良い。固定ゴムカバー１４を取付けない場合などでは排水穴の形状にこだわる必要はない。さらに、蓋受枠庇の内側縁部７ａより下方に延長形成した円筒１２の下端部の内径を下方向に漸次小さくすることにより、将来蓋受枠４を持ち上げたときに、仕切弁保護カバー１１の上端部に取付けられた固定ゴムカバーの凸部１５が抵抗となり、高さ調整可能な範囲の目安となる。又、蓋部材（蓋、蓋受枠）については、鋳鉄、レジンコンクリート、強化プラスチックなどの強度のある材質で形成すれば良く、部材厚については図２に示すように補強用のリブをつける事により薄くする事が可能で、縦状に配したリブ１６を取巻くように横方向のリブ１７を形成することにより、設置時の取手の役目も備えることが出来る。蓋５に作用する荷重は蓋受枠４に伝達され、底版３でその荷重を受け持つことになるが、底版３の形状は図３に示すように円形でも良いし四角形などでも良い。底版中心部に蓋受枠庇の内側縁部７ａ下方に延長形成された円筒１２外径より大きい、必要最小限な円形のくり抜き部１８を設け、材質に応じた必要とする強度を満足する厚みのある底版３を形成する。また、地盤面２と接する部分、即ち底版底面１９には凹凸溝を形成し、接地面積の増加を図るのが好ましい。凹凸溝はどの様な形状でも良いが、例えば波板形状の様な凹凸又は、同じ直径の半円の凹部と凸部を交互に底版中心部から外周縁に向かって同心円を描くように形成するのが良い。底版の材質は、鋳鉄、レジンコンクリート、コンクリート、プラスチック、ポリプロピレン等で形成すれば良いが、材質に応じて形成可能な取手部を設けるのが好ましい。例えば、図５に示すように肉厚を薄く出来る材質（例えば鋳鉄等であるが。）では���肉厚全体を底面から上面方向に取手として利用可能な凸部２５を設けるのが良い。コンクリートなど厚みを必要とする材質ならば、その外側縁部７ｂ肉厚断面内に凹部を設ければ良い。底版３を設置する時には、設置する箇所の地盤面２と底版底面１９の凹凸溝とを密着させる必要があり、水を加えない砂とセメントを混ぜ合わせた空練りモルタルを数センチ地盤面２に敷き均した上で底版３をモルタル面に回転させながら押し付けるようにして設置するのが最良である。さらには、底版３と蓋受枠４との接合部は、単に置くだけの構造でも受枠の庇部下方に延長形成された円筒１２が、底版中心部に設けた円形のくり抜き部１８を貫通し、土中内に差し込むように設置される事から、底版３と蓋受枠４とは一体化する事になるが、図２の様に蓋受枠庇の外側縁部７ｂに数ヶ所の凸部２０を設け、図３のように底版３にその凸部２０と合致する凹部２１を同数設ける事により、噛み合わせ部を回動自在に挿着できることが可能となる。底版に形成される凹部２１は、使用する材質により肉厚内にその機能を持たせる、あるいは図３のように底版上面に突出した形態での凹部２１を設けても良い。これらの凹凸形状はどの様な形状でも良いがゆとりのある凹凸関係を有し単純な形状なのが好ましい。又、図３に示すように肉厚全体を底面から上面方向に凸部２５を形成し取手を設けるのが好ましい。これらの蓋構造は、下水道の小型マンホール他にも利用できる。
【００２４】
（実施例１２）
本発明の実施例１２が図６乃至図９に示されている。本実施例の蓋構造は、現在利用されている蓋構造において、蓋受枠下部口径、即ち底版凹部８と密着せしめる蓋受枠庇の内側縁部７ａの内径を、合成樹脂製などの円筒（第一円筒管）１の上部９外径よりも少し大きな内径になるまで、例えば、漏斗口の様に漸次下方に傾斜をつけながら口径を内側に縮小していき、必要最小限の口径に縮まった所から下方に垂直に円筒部(第二円筒部）１２を一体的に延長形成するのが好ましい。蓋受枠庇の内側縁部７ａより下方に伸びた円筒の内周面２２と重なり合う合成樹脂製などの円筒の外周面２３との隙間２４を利用して、道路面６の傾斜に合わせて蓋５が設置出来るよう改良したものである。例えば、道路面６の傾斜に蓋５を合致させる必要がある場合、底版設置地盤面２を道路の傾斜に合致させる事により、蓋受枠庇の内側縁部７ａより下方に延長形成した円筒内周面２２と、重なり合う合成樹脂製などの円筒の外周面２３との隙間２４の範囲内で底版３即ち、蓋受枠４を傾斜させることが可能となる。又、蓋受枠庇の内側縁部７ａより下方に延長形成した円筒部１２には、図９に示すように縦方向に櫛の歯状に欠損部１３を設けてある。荷重を受ける底版３は、図７乃至図８に示すように中心部に、蓋受枠庇の内側縁部７ａより下方に延長形成した円筒部１２が貫通せしめる大きさの円形くり抜きを部１８設ければ良い。底版３との連結は、実施例１と同様でも良いが、図８乃至図９に示すように蓋受枠の庇部７の形状及び厚みに合致する底版凹部８を底版上面に設ける形態でも良く、底版外周縁の肉厚断面内に取手用の凹部２６を形成するのが好ましい。これらの蓋構造は、下水道小型マンホール、水道仕切弁ＢＯＸ等に利用できる。
【００２５】
（実施例１３）
本発明の実施例１３は、図１０を参照して説明する。本実施例は、水道仕切弁保護カバー（第一円筒管）１１に蓋構造物を組合せた例であるが図１０に示すように、現在一般的に使用されている蓋受枠４と実施例１及び２で説明した中心部にくり抜き部を設けた底版２７との間に挟み込むようにして取付け可能な、いわばハットを逆にして円筒部先端の底を無くした形態で、垂直に設置された合成樹脂製等の円筒（第一円筒管）上部９外周径より少し大きな内周径を有する円筒部（第二円筒部）２８と、その円筒上部に連続してハットの庇状の蓋受枠４と底版２７との間に密着するような形状にした平板部２９とを一体形成したものを取付けた事例である。垂直に設置された仕切弁保護カバー１１の円筒廻りを必要な高さまで埋戻し、埋戻した表面を均一に整形し前記円筒２８の外径よりも少し大きなくり抜き部を設けた底版２７を円筒上部９を覆い被せるように設置した後、ハットを逆さにしたような形態の平板部２９と円筒部２８とを一体形成された円筒先端部３２が前記底版２７を貫通し土中内に差込み、円筒上部９と前記の一体形成された円筒部２８とが、互いに重なり合うように設置する。この時、仕切弁保護カバー１１上部に取付けられた固定ゴムカバーの凸部１５が、下方に湾曲しながら前記の一体形成された円筒内周面をスライドし設置されることになり、設置された後は仕切弁保護カバー１１とそれを保護する蓋とは一体感を持たせることが可能となる。又、合成樹脂製等の円筒上部９には土砂等の流入を防止する合成樹脂製、ポリエステル等の軟質な材質で形成されたキャップ３０を取付けるのが望ましい。軟質な材質を利用することにより、点検時等キャップ３０を蓋を開けて取り外す必要が生じた時にキャップ３０を変形させて取り出し易くするためである。前記記載の平板部２９と円筒部２８とを一体形成された部材を取付ける方法としては、図１０のように蓋５及び蓋受枠４の自重により押さえ付けられるような構造でも良いし、蓋受枠４、平板２９と円筒部２８とが一体形成されたもの、及び底版２７とをボルトで固着させる構造でも良い。材質は鋳鉄、塩化ビニル、合成樹脂など作用する荷重に耐えうる強度を有する材質であれば良い。これらは、下水道の小型マンホール等にも利用できる。
【００２６】
（実施例１４）
本発明の実施例１４は、図１１及図１２を参照して説明する。本実施例は、下水道の小型マンホールに蓋構造物を組合せた事例である。蓋受枠に作用する荷重を受け持つ底版３を、図１１に示すように垂直に設置された合成樹脂製などの円筒１（第一円筒管）外径より少し大きな内径を有する円筒（第二円筒部）３１を、底版中心部から下方に一体的に延長形成した事例である。材質は鋳鉄製とするのが好ましいが、合成樹脂製等で形成する場合には、図１２に示すように荷重を受ける平板部２９と直接荷重が作用しない円筒部３１との厚みに変化を持たせることで対応は可能である。すなわち、直接荷重を受ける平板部２９は作用する荷重に耐えうる必要な肉厚を確保し、荷重の作用しない円筒部３１は肉厚を薄くするなどである。この実施例は、現在各メーカーから市販されている底版に、底版中心部に下方向に必要な口径の円筒部を設けることにより可能となることから、形成上においても、経済性においても最良である。これらを設置する場合には、垂直に設置された合成樹脂製等の円筒１廻りを必要な高さまで土砂にて埋戻し、埋戻し表面を均一にした後、前記記載の一体形成された円筒部先端３２から合成樹脂等の円筒上部９を覆いかぶせるようにして、設置された合成樹脂等の円筒上部９と、底版３と一体形成した円筒３１とが互いに１０ｃｍから２０ｃｍ程度重なるように設置すれば良い。円筒部３１には、実施例１及び２で説明した機能を持たせるのが好ましい。また、土中内に差込み易くするため図１１に示すように、円筒先端部３２を尖らす形状にするのが最良である。例えば、将来高さ調整が必要となった場合、底版を撤去し必要な高さまで土砂等で埋戻した後、再度同様にして設置すれば副資材を必要としないで施工が完了する。合成樹脂製等の円筒上部９には土砂浸入防止用のキャップ３０を取付けておくのが最良の形態である。これらは、上水道の仕切弁ＢＯＸなどにも利用できる。
【００２７】
（実施例１５）
本発明の実施例１５は、図１３乃至図１６を参照に説明する。本実施例は、上水道の仕切弁保護カバー（第一円筒管）１１に蓋構造物を組合せた例であるが、図１３のように合成樹脂製等の円筒（第一円筒管）１１の外径よりも少し大きな内径を有する円筒（第二円筒）３１に、円筒下方先端を外側方向にハットの庇のような形をしたドーナツリング状の板３２を一体形成、もしくは別途形成した板を取付けたものである。第二円筒下方先端に取付けられる板は、四角形、六角形等の様な形状でも良く、地盤面と接する面積が大きい程好ましい。設置手順は、垂直に設置された第一円筒１１廻りを必要な高さまで土砂等で埋戻しを行い、その埋戻し面を地盤として、垂直に設置された第一円筒１１上部を覆い被せるようにして第二円筒３１を設置する。再度、第一底版３３の設置高さになるまで土砂等で埋戻しを行ない、第二円筒上部が第一底版３３中心部に設けられたくり抜き部を貫通するように第一底版を据付けた後、蓋受枠４を設置する。この時に第二円筒上部先端３４と蓋受枠４とが接合されることにもなる。第二円筒上部先端３４と蓋受枠４とが接する部分３５は、一体構造となるよう、すなわち蓋受枠内側３６に第二円筒上部先端３４が互いに噛合い一体構造となる形態にするのが最良である。蓋受枠４と形成した第二円筒３１とが設置されたときに一体構造として機能することにより、蓋５に作用した荷重は、蓋受枠庇部７下に設置された第一底版３３と第二円筒下方先端に設けられたドーナツリング状の板３２との二ヶ所で受け持つことになり、沈下に対する安定性は増すことになる。又、蓋受枠内側３６に設けられる接合部は、図１４のように第二円筒の肉厚全面で接するように第二円筒上方先端の肉厚と同じかもしくは少し広い肉厚を有し互いに接合する部分を形成すれば良く、接合する形態はどの様な形状でも良い。図１５に示すように第二円筒上方先端３５を、ある一定の位置から上方向に階段のような段差３７を数ヶ所均等に円筒上部に設け、蓋受枠内側には図１６に示すように、それと接合する段差３８を形成することにより、数センチ程度の蓋の高さ調整であれば蓋受枠を持ち上げ回転させて第一円筒上方先端部に設けられた段差３７と蓋受枠内側に設けられた段差との接合位置をズラして据付けることにより高さを容易に変えることが可能となる。又、図１３に示すように、第一円筒上方先端に断面が円形のゴムリング、すなわちＯリング３９を第一円筒上方先端の外周面に取付けることにより、第二円筒１２を被い被せるようにして設置した時、第一円筒外周面と第二円筒内周面との隙間を一定に保つことが可能となり施工性も向上する。Ｏリングは前記隙間より小さい径のゴムを利用することにより、設置した時ゴムの外面先端４０と第二円筒内周面４１とに隙間が生じ蓋内面に発生する結露等の排水にも役立つ。形成する第二円筒は、鉄製、鋳鉄製、もしくは強化プラスチック等で形成すれば良いが、蓋受枠は一般的に鋳鉄製であるため第二円筒部材も鋳鉄製とするのが最良である。又、図１４に示すように第一円筒上部先端と蓋受枠内側との接合部には、衝撃を緩和する目的で３〜５ｍｍ程度のゴム板等４２を挟み込むのが好ましい。第二円筒下部に一体形成もしくは取付けられた板の厚さは、単一でもよいが外側に向かう程薄くするのが好ましい。円筒部分についても鋳鉄製であれば７〜８ｍｍ程度の厚さを有すれば充分である。第二円筒部上部と蓋受枠内側との接合部は、前記円筒の肉厚全体で接するのが好ましいが、ステップを設ける場合、図１５及び図１６に示す様に３ヶ所もしくは４ヶ所程で第二円筒上部先端の円周上に均等に配置され、接合部が３ヶ所もしくは４ヶ所程度となるように形成し、荷重が一点に集中しない形状にするのが良い。底版３３（第一底版）は、合成樹脂製もしくは再生プラスチックで形成すれば良く、形状は前記実施例と同じであるため省略する。これらの構造形態は、下水道の小型マンホール等でも利用できる。
【符号の説明】
【００２８】
１  合成樹脂製などの円筒(第一円筒管）      ２  地盤面      ３  底版      ４  蓋受枠      ５  蓋      ６  道路面      ７  蓋受枠庇部      ７ａ  蓋受枠庇の内側縁部      ７ｂ  蓋受枠庇の外側縁部      ８  底版凹部      ９  円筒上部      １０  埋戻し土の表面      １１  水道仕切弁保護カバー(第一円筒管）      １２  蓋受枠庇の内側縁部より下方に延長形成した円筒(第二円筒部）      １３  欠損部      １４  固定ゴムカバー      １５  固定ゴムカバーの凸部      １６  縦状に配したリブ      １７  横方向のリブ      １８  底版の円形のくり抜き部      １９  底版底面      ２０  蓋受枠庇の外側縁部の凸部      ２１  蓋受枠庇の外側縁部の凸部と合致する底版凹部      ２２  蓋受枠庇の内側縁部より下方に伸びた円筒(第二円筒）の内周面      ２３  合成樹脂製などの円筒(第一円筒管）の外周面      ２４  蓋受枠庇の内側縁部より下方に延長形成した円筒(第二円筒）の内周面と重なり合う合成樹脂製などの円筒(第一円筒管）の外周面との隙間      ２５  肉厚全体を底面から上面方向に形成した凸部      ２６  肉厚断面内に設けた凹部      ２７  中心部にくり抜き部を設けた底版      ２８  円筒(第一円筒管）上部９の外周径より少し大きな内周径を有する円筒(第二円筒）      ２９  平板部      ３０  キャップ      ３１  円筒(第二円筒）      ３２  円筒(第二円筒）先端      ３３  第一底版      ３４  第二円筒上部先端      ３５  第二円筒上部先端と蓋受枠とが接する部分      ３６  蓋受枠内側      ３７  第二円筒上部先端に設けた階段のような段差      ３８  第二円筒上部先端に設けた階段のような段差と接合する蓋受枠内側に設けた段差      ３９  Ｏリング      ４０  Ｏリング外面先端      ４１  第二円筒内周面      ４２  第一円筒上部先端と蓋受枠内側接合部に挟み込まれたゴム板      ５０  第一円筒管      ５１  固定ゴムカバー      ５２  隙間      ５３  凹凸部      ５４  キャップ      ６０  第二円筒      ６１  第二円筒の上部先端部      ６２  突起      ７０  第一円筒管      ７１  固定ゴムカバー      ７２  隙間      ７３  凹凸部      ７４  キャップ      ７５  球状加工部      ７６  ゴム板      ８０  第二円筒      ８１  第二円筒の上部先端部      ８２  突起      ８３  切欠部      ９０  既設ＢＯＸ      
【図２】
2010059774.tif 000003
【図２１】
2010059774.tif 000004
【図２４】
2010059774.tif 000005
【図１】
2010059774.tif 000006
【図３】
2010059774.tif 000007
【図４】
2010059774.tif 000008
【図５】
2010059774.tif 000009
【図６】
2010059774.tif 000010
【図７】
2010059774.tif 000011
【図８】
2010059774.tif 000012
【図９】
2010059774.tif 000013
【図１０】
2010059774.tif 000014
【図１１】
2010059774.tif 000015
【図１２】
2010059774.tif 000016
【図１３】
2010059774.tif 000017
【図１４】
2010059774.tif 000018
【図１５】
2010059774.tif 000019
【図１６】
2010059774.tif 000020
【図１７】
2010059774.tif 000021
【図２０】
2010059774.tif 000022
【図２２】
2010059774.tif 000023
【図２３】
2010059774.tif 000024
【手続補正書】
【提出日】平成21年4月13日(2009.4.13)
【手続補正１】
【補正対象書類名】明細書
【補正対象項目名】００１８
【補正方法】変更
【補正の内容】
【００１８】
【図１】本発明の実施例１１の全体の断面説明図である。
【図２】図１の蓋及び蓋受枠の平面図である。
【図３】図１の底版透視図である。
【図４】図１の蓋受枠の拡大側面図である。
【図５】図１の固定ゴムカバーの透視説明図である。
【図６】本発明の実施例１２の全体の断面説明図である。
【図７】図６の底版の平面図である。
【図８】図６の底版の断面図である。
【図９】図６の蓋受枠の拡大側面図である。
【図１０】本発明の実施例１３の全体の断面説明図である。
【図１１】本発明の実施例１４の全体の断面図である。
【図１２】図１１の底版透視図である。
【図１３】本発明の実施例１５の全体の断面説明図である。
【図１４】図１３の第２円筒上方先端と蓋受枠内側とが接する部分の拡大断面図である。
【図１５】図１４の接合部に段差を設けた時の立体図である。
【図１６】図１５で示した第二円筒上部と接合する蓋受枠の立体図である。
【図１７】従来例の説明図である。
【図１８】本発明の実施例１の全体の断面説明図である。
【図１９】図１８の第一円筒管と第二円筒の説明図である。
【図２０】本発明の実施例２の全体の断面説明図である。
【図２１】図２０の第一円筒管と第二円筒の説明図である。
【図２２】既設ＢＯＸの全体の断面説明図である。
【手続補正２】
【補正対象書類名】明細書
【補正対象項目名】００２０
【補正方法】変更
【補正の内容】
【００２０】
（実施例１）
図１８は本発明の実施例１の全体の断面説明図、図１９は図１８の第一円筒管と第二円筒の説明図である。
本発明の実施例１について、図１８及び図１９を参照して説明する。本実施例は、上水道の仕切弁ＢＯＸ又は下水道の小型マンホールで地中に埋設される導管の点検や操作を行なうため垂直に設置される合成樹脂製の円筒管たる第一円筒管５０と、その第一円筒管５０の上部を保護するために取付けられる蓋５を有する蓋受枠４と、その蓋受枠４を支持する底版３からなる上水道又は下水道の蓋構造である。
第二円筒６０は第一円筒管５０の外径よりも大きな内径を有するように形成され、第一円筒管５０の上部を覆い被せるように設置される。蓋受枠４に作用する荷重を受け持つ底版３の中心部には、第二円筒６０の上部が貫通するくり抜き部が設けられ、図１８に示すように第二円筒６０の上部先端部６１が蓋受枠４の縁部底面に接合する構成になっている。このため、蓋５及び第二円筒６０が輪荷重等により沈下することがあっても第一円筒管５０には荷重は作用せず水道管・下水道管を破損させることはない。また、第二円筒６０が底版３を貫通する状態で設置するようにしたので、底版３と第二円筒６０が互いに重なり合う範囲内で底版３の位置を上下に自由に決定することができ、設置された蓋５が長年の使用により横滑りすることを防止することができる。  第一円筒管５０の外周面上部には、第二円筒６０の内周面に嵌着する固定ゴムカバー５１が装着自在に取り付けられ（図１９参照）、固定ゴムカバー５１により第一円筒管５０の外周面と第二円筒６０の内周面との間に隙間５２が設けられている。このため、第一円筒管５０と第二円筒６０が互いに重なり合う範囲内で第二円筒６０を上下に自由に移動させて固定ゴムカバー５１が第二円筒６０の内周面に嵌着するので蓋５の高さを容易に調整することができ、道路面６の勾配と蓋５の勾配を合致させる場合には、第一円筒管５０と第二円筒６０の隙間５２を利用して底版３を傾けて容易に設置することができる。なお、固定ゴムカバー５１の代わりにＯリング等のゴムリングを取り付けて隙間を設けてもよい。さらに、第一円筒管５０と第二円筒６０の隙間が大きい場合、埋戻し作業中に第二円筒６０が傾いた状態となり垂直に修正する必要が生じるため、固定ゴムカバー５１の下方の位置で第一円筒管５０と第二円筒６０が互いに重なり合う範囲内に第二円筒６０の内径よりも若干小さな外径のＯリング等のゴムリングを追加して取り付けるのが望ましい。このゴムリングと第二円筒６０の内周面との間に若干の隙間を設けておくことにより、第二円筒６０の内面に生ずる結露を土砂中に排出することができる。また、第一円筒管５０の上部には土砂等の流入を防止するキャップ５４を取付けるのが望ましい。
図１９に示すように、固定ゴムカバー５１の外周縁には複数の連続する凹凸部５３が周設され、第二円筒６０の内周面には凹凸部５３に対応する複数の突起６２が形成されている。突起６２の形状は固定ゴムカバー５１の凹部の形状よりも若干小さく形成され、設置時には第二円筒６０を少し回転させて前記凹部と突起６２の位置をずらしておくことにより引き抜き防止となり、前記凹部と突起６２の位置を合すことにより引き抜き可能となる。また、固定ゴムカバー５１に前記凹部を形成することにより、道路から流入する水を前記凹部から土砂中に流出させることができる。
また、第二円筒６０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【手続補正３】
【補正対象書類名】明細書
【補正対象項目名】００２１
【補正方法】変更
【補正の内容】
【００２１】
（実施例２）  図２０は本発明の実施例２の全体の断面説明図、図２１は図２０の第一円筒管と第二円筒の説明図である。
本実施例は、図２２に示す既設ＢＯＸを改修して破損した箇所を取り替える場合の使用例を示すものであり、上述した実施例１と同様に第二円筒８０は第一円筒管７０の外径よりも大きな内径を有するように形成され、第一円筒管７０の上部を覆い被せるように設置される。蓋受枠４に作用する荷重を受け持つ底版３の中心部には、第二円筒８０の上部が貫通するくり抜き部が設けられ、図２０に示すように第二円筒８０の上部先端部８１が蓋受枠４の縁部底面に接合する構成になっている。このため、蓋５及び第二円筒８０が輪荷重等により沈下することがあっても第一円筒管７０には荷重は作用せず水道管・下水道管を破損させることはない。また、第二円筒８０が底版３を貫通する状態で設置するようにしたので、底版３と第二円筒８０が互いに重なり合う範囲内で底版３の位置を上下に自由に決定することができ、設置された蓋５が長年の使用により横滑りすることを防止することができる。
第一円筒管７０の下部は、図２０に示すように既設ＢＯＸ９０（残置部分）の内径よりも少し大きな外径の球状加工部７５が形成され、既設ＢＯＸ９０（残置部分）の上に据え付けられる。このため、破損した部分のみを撤去し、その撤去部を上記構造に変更することにより簡単に復旧工事が完了する。また、既設ＢＯＸ９０（残置部分）と球状加工部７５との隙間から泥水・土砂等が浸入するのを防止するためにゴム板７６を取り付け、埋戻し時の土砂により既設ＢＯＸ９０（残置部分）の上部とゴム板７６が自然と折り曲がり密着するようにするのが好ましい。なお、ステンレス製バンド（図示省略）により、ゴム板７６を押え付けてもよい。
また、実施例１と同様に第一円筒管７０の外周面上部には、第二円筒８０の内周面に嵌着する固定ゴムカバー７１が装着自在に取り付けられ（図２１参照）、固定ゴムカバー７１により第一円筒７０の外周面と第二円筒８０の内周面との間に隙間７２が設けられている。このため、第一円筒管７０と第二円筒８０が互いに重なり合う範囲内で第二円筒８０を上下に自由に移動させて固定ゴムカバー７１が第二円筒８０の内周面に嵌着するので蓋５の高さを容易に調整することができ、道路面６の勾配と蓋５の勾配を合致させる場合には、第一円筒管７０と第二円筒８０の隙間７２を利用して底版３を傾けて容易に設置することができる。なお、固定ゴムカバー７１の代わりにＯリング等のゴムリングを取り付けて隙間を設けてもよい。さらに、第一円筒管７０と第二円筒８０の隙間が大きい場合、埋戻し作業中に第二円筒８０が傾いた状態となり垂直に修正する必要が生じるため、固定ゴムカバー７１の下方の位置で第一円筒管７０と第二円筒８０が互いに重なり合う範囲内に第二円筒８０の内径よりも若干小さな外径のＯリング等のゴムリングを追加して取り付けるのが望ましい。このゴムリングと第二円筒８０の内周面との間に若干の隙間を設けておくことにより、第二円筒８０の内面に生ずる結露を土砂中に排出することができる。また、第一円筒管７０の上部には土砂等の流入を防止するキャップ７４を取付けるのが望ましい。
図２１に示すように、固定ゴムカバー７１の外周縁には複数の連続する凹凸部７３が周設され、第二円筒８０の内周面には凹凸部７３に対応する複数の突起８２が形成されている。突起８２の形状は固定ゴムカバー７１の凹部の形状よりも若干小さく形成され、設置時には第二円筒８０を少し回転させて前記凹部と突起８２の位置をずらしておくことにより引き抜き防止となり、前記凹部と突起８２の位置を合すことにより引き抜き可能となる。また、固定ゴムカバー７１に前記凹部を形成することにより、道路から流入する水を前記凹部から土砂中に流出させることができる。
また、第二円筒８０の下部先端に切欠部８３を形成することにより（図２１参照）、埋戻し土砂がくい込み易くなり沈下を少なくさせる。なお、切欠部８３の代わりに先端断面を波形などに加工してもよい。また、第二円筒８０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【手続補正４】
【補正対象書類名】明細書
【補正対象項目名】００２２
【補正方法】変更
【補正の内容】
【００２２】
（実施例３）
本実施例は、上述した実施例１と同様に上水道の仕切弁ＢＯＸ又は下水道の小型マンホールで地中に埋設される導管の点検や操作を行なうため垂直に設置される合成樹脂製の円筒管たる第一円筒管５０と、その第一円筒管５０の上部を保護するために取付けられる蓋５を有する蓋受枠４と、その蓋受枠４を支持する底版３からなる上水道又は下水道の蓋構造である点で共通するが、第二円筒６０の上部先端部６１が蓋受枠４の内周面に接合する（図示省略）ように構成されている点で実施例１と相違する。
すなわち、本実施例は、実施例１と同様に第二円筒６０は第一円筒管５０の外径よりも大きな内径を有するように形成され、第一円筒管５０の上部を覆い被せるように設置される。蓋受枠４に作用する荷重を受け持つ底版３の中心部には、第二円筒６０の上部が貫通するくり抜き部が設けられ、第二円筒６０の上部先端部６１が蓋受枠４の内周面に接合する（実施例１５、図１３・図１４参照）構成になっている。このため、実施例１と同様に蓋５及び第二円筒６０が輪荷重等により沈下することがあっても第一円筒管５０には荷重は作用せず水道管・下水道管を破損させることはない。また、第二円筒６０が底版３を貫通する状態で設置するようにしたので、底版３と第二円筒６０が互いに重なり合う範囲内で底版３の位置を上下に自由に決定することができ、設置された蓋５が長年の使用により横滑りすることを防止することができる。
また、実施例１と同様に第一円筒管５０の外周面上部には、第二円筒６０の内周面に嵌着する固定ゴムカバー５１が装着自在に取り付けられ（図１９参照）、固定ゴムカバー５１により第一円筒５０の外周面と第二円筒６０の内周面との間に隙間５２が設けられている。このため、実施例１と同様に第一円筒管５０と第二円筒６０が互いに重なり合う範囲内で第二円筒６０を上下に自由に移動させて固定ゴムカバー５１が第二円筒６０の内周面に嵌着するので蓋５の高さを容易に調整することができ、道路面６の勾配と蓋５の勾配を合致させる場合には、第一円筒管５０と第二円筒６０の隙間５２を利用して底版３を傾けて容易に設置することができる。なお、固定ゴムカバー５１の代わりにＯリング等のゴムリングを取り付けて隙間を設けてもよい。さらに、第一円筒管５０と第二円筒６０の隙間が大きい場合、埋戻し作業中に第二円筒６０が傾いた状態となり垂直に修正する必要が生じるため、固定ゴムカバー５１の下方の位置で第一円筒管５０と第二円筒６０が互いに重なり合う範囲内に第二円筒６０の内径よりも若干小さな外径のＯリング等のゴムリングを追加して取り付けるのが望ましい。このゴムリングと第二円筒６０の内周面との間に若干の隙間を設けておくことにより、第二円筒６０の内面に生ずる結露を土砂中に排出することができる。また、第一円筒管５０の上部には土砂等の流入を防止するキャップ５４を取付けるのが望ましい。
また、実施例１と同様に固定ゴムカバー５１の外周縁には複数の連続する凹凸部５３が周設され、第二円筒６０の内周面には凹凸部５３に対応する複数の突起６２が形成されている。突起６２の形状は固定ゴムカバー５１の凹部の形状よりも若干小さく形成され、設置時には第二円筒６０を少し回転させて前記凹部と突起６２の位置をずらしておくことにより引き抜き防止となり、前記凹部と突起６２の位置を合すことにより引き抜き可能となる。また、固定ゴムカバー５１に前記凹部を形成することにより、道路から流入する水を前記凹部から土砂中に流出させることができる。
また、実施例１と同様に第二円筒６０の下部先端の外側にドーナツリング状板（図１３の記号３２参照）を形成した場合には、蓋５に作用する荷重を底版３とドーナツリング状板の二ヶ所で受け持つことができることから、沈下に対する安定性を増すことが可能となる。また、底版３の底面に沈下及び滑動を軽減させるための凹凸部（図８の記号１９参照）を形成した場合には、さらに安定性を向上させる効果が得られる。
【手続補正６】
【補正対象書類名】図面
【補正対象項目名】全図
【補正方法】変更
【補正の内容】
【図１９】
2010059774.tif 000025
【図２２】
2010059774.tif 000026
【図１】
2010059774.tif 000027
【図２】
2010059774.tif 000028
【図３】
2010059774.tif 000029
【図４】
2010059774.tif 000030
【図５】
2010059774.tif 000031
【図６】
2010059774.tif 000032
【図７】
2010059774.tif 000033
【図８】
2010059774.tif 000034
【図９】
2010059774.tif 000035
【図１０】
2010059774.tif 000036
【図１１】
2010059774.tif 000037
【図１２】
2010059774.tif 000038
【図１３】
2010059774.tif 000039
【図１４】
2010059774.tif 000040
【図１５】
2010059774.tif 000041
【図１６】
2010059774.tif 000042
【図１７】
2010059774.tif 000043
【図１８】
2010059774.tif 000044
【図２０】
2010059774.tif 000045
【図２１】
2010059774.tif 000046